(57)【特許請求の範囲】
【請求項１】
回転ドラムを後部側に向けて回転軸方向が水平または水平方向から下向き傾斜となるように水槽内に設置して、回転ドラムの回転を伴い、洗い、すすぎ、脱水の各工程、及び送風手段により水槽内の空気を循環送風経路に通して循環させることにより洗濯物の乾燥工程を実施する洗濯機であって、
前記循環送風経路の途中に異物を捕集するフィルタ部を着脱できるように装着するフィルタ室を備え、前記フィルタ室の外側に水を所定の場所に導く溝を設けた洗濯機。
【請求項２】
前記溝は、水を所定の場所に導くように傾斜している請求項１に記載の洗濯機。
【請求項３】
前記溝から流れ出た水は、前記溝に連続して設けた傾斜面を流れて、所定の場所に導かれるようにした請求項１または２に記載の洗濯機。
【発明の詳細な説明】
【技術分野】
【０００１】
本発明は衣類の乾燥機能を有した洗濯機に関するものである。
【背景技術】
【０００２】
従来、この種の洗濯機は、フィルタ室の凹部に天板の凸部を印籠嵌め構造によるシール構成にしている（例えば、特許文献１参照）。
【０００３】
図６は、特許文献１に記載された従来の洗濯機を示すものである。図６に示すように、天板１に嵌めたシールパッキン２のシールリップ３を、フィルタ室４の段部５に当ててシールするように構成されている。
【先行技術文献】
【特許文献】
【０００４】
【特許文献１】特開２００８−７９８６０号公報
【発明の概要】
【発明が解決しようとする課題】
【０００５】
しかしながら、前記従来の構成では、フィルタ室の下部に配置する排水ポンプ等の充電部に水が流れ落ちて、故障するという課題を有していた。
【０００６】
本発明は、前記従来の課題を解決するもので、排水ポンプ等の充電部への水の付着を防止することを目的としている。
【課題を解決するための手段】
【０００７】
前記従来の課題を解決するために、本発明の洗濯機は、循環送風経路の途中に異物を捕集するフィルタ部を着脱できるように装着するフィルタ室を備え、フィルタ室の外側に水を所定の場所に導く溝を設けたものである。
【０００８】
これによって、フィルタ室から漏れた水を充電部のないところに落とすように導くことで充電部への水付着を防止し、充電部のショートやコイルの腐食によるレアショート等が原因の故障がなくなる。
【発明の効果】
【０００９】
本発明の洗濯機は、排水ポンプ等の充電部への水付着による故障を防止することができる。
【図面の簡単な説明】
【００１０】
【図１】本発明の実施の形態１における洗濯機の側断面図
【図２】同洗濯機の乾燥経路図
【図３】同洗濯機のヒートポンプ装置の概略図
【図４】同洗濯機のフィルタユニットの要部詳細図
【図５】同洗濯機のフィルタユニットの要部断面図
【図６】従来の洗濯機のフィルタユニットの要部断面図
【発明を実施するための形態】
【００１１】
第１の発明は、回転ドラムを後部側に向けて回転軸方向が水平または水平方向から下向き傾斜となるように水槽内に設置して、回転ドラムの回転を伴い、洗い、すすぎ、脱水の
各工程、及び送風手段により水槽内の空気を循環送風経路を通して循環させることにより洗濯物の乾燥工程を実施する洗濯機であって、循環送風経路の途中に異物を捕集するフィルタ部を着脱できるように装着するフィルタ室を備え、フィルタ室の外側に水を所定の場所に導く溝を設けたことにより、フィルタ室に溜まった水が溢れた場合、溝にその水を貯めて容易にフィルタ室の下部に配置する部品に水が掛からないようにすることができる。
【００１２】
第２の発明は、特に、第１の発明の溝は、水を所定の場所に導くように傾斜していることにより、フィルタ室に溜まった水が溢れた場合、溝を使ってその水を所定の場所に導くようにして、容易にフィルタ室の下部に配置する部品に水が掛からないようにすることができる。
【００１３】
第３の発明は、特に、第１または第２の発明の溝から流れ出た水は、溝に連続して設けた傾斜面を流れて、所定の場所に導かれるようにしたことにより、フィルタ室に溜まった水が溢れた場合、溝から出た水を傾斜面を使って所定の場所に導くようにして、容易にフィルタ室の下部に配置する部品に水が掛からないようにすることができる。
【００１４】
以下、本発明の実施の形態について、図面を参照しながら説明する。なお、従来例と同じ構成のものは同一符号を付して説明を省略する。また、この実施の形態によって本発明が限定されるものではない。
【００１５】
（実施の形態１）
図１は、本発明の実施の形態１における洗濯機の側断面図、図２は、同洗濯機の乾燥経路図、図３は、同洗濯機のヒートポンプの概略図、図４は、同洗濯機のフィルタユニットの斜視図、図５は、同洗濯機のフィルタユニットの要部詳細図である。
【００１６】
図１、図２、図３、図４および図５において、回転ドラム６を後部側に向けて回転軸方向が水平方向から下向き傾斜となるように水槽７内に設置して、洗い、すすぎ、脱水の各工程に加え、送風機８により、水槽７内の空気を循環送風経路９に通して吸引して圧縮機１０により働かされる蒸発器１１及び凝縮器１２に通して除湿及び加熱した後、水槽７内に送風することを繰り返して洗濯物を乾燥させる乾燥工程を行う。この乾燥工程のために、送風機８は蒸発器１１、凝縮器１２及びそれらに冷媒を循環させる圧縮機１０を上カバー１３と下カバー１４で内蔵したヒートポンプ１５は、送風機８側と水槽７内側に接続され、ヒートポンプ１５の近傍には、熱交換によって生じた結露水を排水するための排水ポンプ１６が配置されている。
【００１７】
循環送風経路９の途中に主として糸くずなどの異物を捕集するフィルタユニット１７を着脱できるように装着するフィルタ室４を備え、フィルタユニット１７は外郭を形成する天板１と、フィルタ部１８と、フィルタユニット１７とフィルタ室４間の空気漏れを防止するためのシールパッキン２と、で構成され、天板１に嵌めたシールパッキン２のシールリップ３を、フィルタ室４の段部５に当ててシールするように構成されている。また、フィルタ室４の外側に溝１９を設けている。
【００１８】
回転ドラム６には、その周面に水槽７内に通じる多数の透孔が形成され、内周面の周方向複数位置に攪拌突起（図示せず）が設けられている。この回転ドラム６は水槽７の後部側に取り付けられたモータ２０によって正転及び逆転方向に回転駆動される。
【００１９】
また、水槽７には、注水管路（図示せず）及び排水管路（図示せず）が配管接続され、注水弁（図示せず）及び排水弁（図示せず）の制御によって水槽７内への注水及び排水がなされる。扉２３を開いて回転ドラム６内に洗濯物及び洗剤を投入して例えば前面上部に設けられた操作パネル２１での操作で、その内側などに設けられた制御基板（図示せず）
などによる制御を通じて運転を開始させると、水槽７内には注水管路から所定量の注水がなされ、モータ２０により回転ドラム６が回転駆動されて洗濯工程が開始される。
【００２０】
回転ドラム６の回転により、回転ドラム６内に収容された洗濯物は回転ドラム６の内周壁に設けられた攪拌突起によって回転方向に持ち上げられ、持ち上げられた適当な高さ位置から落下する攪拌動作が繰り返されるので、洗濯物には叩き洗いの作用が及んで洗濯がなされる。
【００２１】
所要の洗濯時間の後、汚れた洗濯液は排水管路から排出され、回転ドラム６を高速回転させる脱水動作により洗濯物に含まれた洗濯液を脱水し、その後、水槽７内に注水管路から注水してすすぎ工程が実施される。このすすぎ工程においても回転ドラム６内に収容された洗濯物は回転ドラム６の回転により攪拌突起により持ち上げられて落下する攪拌動作が繰り返されてすすぎ洗いが実施され、再度脱水工程を行う。
【００２２】
その後、乾燥工程を行う。図２及び図３に示すように、ヒートポンプ１５は、二次側の送風機８に循環送風経路９を介して接続している。これにより、送風機８の吸引力はヒートポンプ１５内におよび、ヒートポンプ１５の他端側は、循環送風経路９を通じ水槽７内に作用するので、水槽７内の空気を水槽７の前方に設けた吸引口２４からヒートポンプ１５内に吸引して蒸発器１１および凝縮器１２を通して除湿および加熱し、除湿および加熱後の乾燥した高温空気は、送風機８で吸引し、送風機８の吹き出し部２２から循環送風経路９を通じ水槽７の背面に設けた吹出口２５から水槽７内に送風され、回転ドラム６内の洗濯物を乾燥させることを繰り返す。この時、ヒートポンプ１５内に溜まった除湿水は、排水ポンプ１６で排水される。
【００２３】
また、図４に示すように、循環送風経路９の途中に設けたフィルタ室４には、フィルタユニット１７が装着されており、主として糸くずなどの異物をフィルタユニット１７のフィルタ部１８で捕集することができる。この捕集した糸くずなどの異物は、フィルタユニット１７を外して掃除すことができる。
【００２４】
更に、図５に示すように、フィルタユニット１７とフィルタ室４との間は、シールパッキン２で空気漏れを防止する。
【００２５】
次に、図４及び図５を用いて、溝１９を説明する。溝１９は、フィルタ室４を囲むように形成されている。後部側（図４において手前側）に向かって傾斜が低くなるように、溝１９は傾斜している。そのため、溝１９に溜まった水は、溝１９を経由して後部側に流れる。水の流れは、図４中において、矢印aで示している通りである。
【００２６】
また、後部側には、溝１９を形成する外側の壁が形成されていない。そのため、全体として、後部側には溝１９が形成されていない。そのため、溝１９に溜まった水は、溝１９から後部側に流れ出ていく。水の流れは、図４中において、矢印ｂで示している通りである。
【００２７】
また、溝１９から後部側に流れ出た水がより後部側に流れるように、傾斜面２６が形成されている。傾斜面２６上の水の流れは、図４中において、矢印ｃで示している通りである。
【００２８】
図２に示しているように、傾斜面２５から流れ出た水は、後方から見て、手前左側に落下する。ここで、送風機８は、後方から見て、手前右側に設けられており、また、排水ポンプ１６は、ヒートポンプ１５に設けられており、後方から見て、奥方右側に設けられているので、傾斜面２６から流れ出た水が、送風機８重でん部（図示せず）及び排水ポンプ
１６の充電部２７に付着することはない。
【００２９】
以上のように構成した洗濯機について、その動作、作用を説明する。上記構成によれば、フィルタ室４の外側の溝１９に水が溜まり、この水は溝１９の傾斜を伝って後部側の傾斜面２６から充電部のないところへ落ちるようになっているので、送風機８、排水ポンプ１６等の充電部への水付着を防止し、充電部のショートやコイルの腐食によるレアショート等が原因の故障をなくすことができる。
【００３０】
なお、乾燥方式をヒートポンプ方式で説明をしたが、ヒータ式でもよい。
【産業上の利用可能性】
【００３１】
以上のように、本発明にかかる洗濯機は、パルセータ式洗濯機において、衣類を乾燥するときに発生する主として糸くずなどの異物をフィルタユニットで捕集する場合も充電部への水付着を防止することが可能となるので、衣類の乾燥機能を有した洗濯機等として有用である。
【符号の説明】
【００３２】
４  フィルタ室
６  回転ドラム
７  水槽
９  循環送風経路
１８  フィルタ部
１９  溝
２６  傾斜面
【図１】
0006010768.tif 000002
【図２】
0006010768.tif 000003
【図３】
0006010768.tif 000004
【図４】
0006010768.tif 000005
【図５】
0006010768.tif 000006
【図６】
0006010768.tif 000007